(57)【特許請求の範囲】
【請求項１】
水栓と洗濯機用給水ホースとの接続部分から漏水した場合の水を受ける水受け部材であって、前記水栓が取り付けられる枠体と前記枠体が取り付けられる壁との間に取り付けられる水受け部本体と、前記水受け部本体が受けた水を外部に排出するホース部とを備えた水受け部材。
【請求項２】
前記水受け部本体と前記ホース部とが一体成形品である
請求項１に記載の水受け部材。
【請求項３】
前記ホース部は長尺である
請求項１または２に記載の水受け部材。
【発明の詳細な説明】
【技術分野】
【０００１】
本発明は、水栓と洗濯機用給水ホースとの接続部分から漏水した場合の水を受ける水受け部材に関する。
【背景技術】
【０００２】
一般に洗濯機は、水栓（水栓金具）と洗濯機本体とを洗濯機用給水ホースにより接続して使用される。水栓と洗濯機用給水ホースとの接続には、通常、ワンタッチで接続可能な洗濯機用給水栓ジョイント等が使用されている。
【０００３】
しかし、洗濯機用給水栓ジョイント内のゴムパッキン等の経年劣化により、水栓と洗濯機用給水ホースとの接続部分近傍から漏水する場合がある。また、洗濯機の脱水時の振動等により、水栓と洗濯機用給水ホースとの接続が緩み、接続部分近傍から漏水する場合もある。漏水すると水栓が取り付けられている壁を伝って水が浸み込む。特にマンション等のコンクリート建築物において、コンクリート内に水が浸み込むと蒸発しにくいため、クロスが浮く等の被害が生じる。また、漏水がひどくなると、床を伝ってマンションの階下への被害も大きくなる。
【０００４】
従来は、外出時に水栓や元栓を閉めたりする等により、漏水を予防していた。しかしながら、水栓は洗濯機が設置される後ろ側の壁に取り付けられていることが多く、手が届きにくい等の理由により、外出の度に水栓や元栓を閉める等の作業は煩雑であった。
【０００５】
また、漏水による被害を回避するために、洗濯機置き場に水漏れ防止用のドレンパン等を施工したり、あるいは漏水検知手段を備えた洗濯機等も提案されている（例えば、特許文献１）。しかしながら、いずれの手法もコストが高くなるという問題がある。
【先行技術文献】
【特許文献】
【０００６】
【特許文献１】特開２０１３−０９４３２６号公報
【発明の概要】
【発明が解決しようとする課題】
【０００７】
本発明は、上記の課題に鑑み、水栓と洗濯機用給水ホースとの接続部分からの漏水による被害を予防することができる水受け部材を提供することにある。
【課題を解決するための手段】
【０００８】
本発明の一態様に係る水受け部材は、水栓と洗濯機用給水ホースとの接続部分から漏水した場合の水を受ける水受け部材であって、前記水栓が取り付けられる枠体と前記枠体が取り付けられる壁との間に取り付けられる水受け部本体と、前記水受け部本体が受けた水を外部に排出するホース部とを備えたことを特徴とする。
【発明の効果】
【０００９】
上記構成によれば、水栓と洗濯機用給水ホースとの接続部分からの漏水による被害を予防することができる。
【図面の簡単な説明】
【００１０】
【図１】実施形態に係る水受け部材の斜視図である。
【図２】水受け部材の正面図である。
【図３】水受け部材の側面図である。
【図４】水受け部材の平面図である。
【図５】水受け部材の取付状態を説明する斜視図である。
【図６】水受け部材の取付状態を説明する部分拡大図である。
【図７】他の実施形態に係る水受け部材の取付状態を説明する斜視図である。
【図８】水受け部材の取付状態を説明する側面図である。
【発明を実施するための形態】
【００１１】
＜概要＞
本発明の一態様に係る水受け部材は、水栓と洗濯機用給水ホースとの接続部分から漏水した場合の水を受けることを特徴とする。
このような構成によれば、水栓と洗濯機用給水ホースとの接続部分からの漏水による被害を予防することができる。
【００１２】
他の一態様に係る水受け部材において、前記水受け部材は、前記水栓が取り付けられる枠体と、該枠体が取り付けられる壁との間に取り付けられる。
このような構成によれば、水受け部材を簡便に取り付けて使用することができる。
【００１３】
また、他の一態様に係る水受け部材において、前記水受け部材は、水を受ける水受け部本体と、受けた水を外部に排出するホース部とを備える。
このような構成によれば、受けた水を連続的に外部に排出できるため、水受け部材から水が溢れ出る心配がなく、継続的に安心して使用できる。
【００１４】
また、他の一態様に係る水受け部材において、前記水受け部本体と前記ホース部とが一体成形品である。
このような構成によれば、部品点数が減少し製造コストが低下するとともに、耐久性が向上する。
【００１５】
＜実施形態＞
（第１の実施形態）
以下に実施形態について、図面を参照しながら詳細に説明する。
図１は実施形態に係る水受け部材１の斜視図、図２は水受け部材１の正面図、図３は水受け部材１の側面図、図４は水受け部材１を上側から見た平面図である。図５は水受け部材１の取付状態を説明する斜視図、図６は水受け部材１の取付状態を説明する部分拡大図である。
【００１６】
１．全体構成
主に図１、図５、図６を用いて説明する。
水受け部材１は、水栓３０と洗濯機用給水ホース３２との接続部分近傍から漏水した場合の水を受ける水受け部本体１０と、受けた水を外部に排出する長尺のホース部２０とを備える。
【００１７】
水受け部材１は、水栓３０が取り付けられる枠体３１と、枠体３１が取り付けられる壁４０との隙間に、取付部１１の先端１１ａを挟み込んだ状態で取り付けて使用される。
【００１８】
２．水栓
主に図５を用いて説明する。
水栓３０は、一般に水道蛇口もしくは水栓金具と呼ばれているものである。水栓３０は枠体３１に埋設された状態で取り付けられている。水栓３０の種類は特に限定はなく、単水栓でも混合栓でもよい。
【００１９】
３．洗濯機用給水ホース
主に図５を用いて説明する。
長尺の洗濯機用給水ホース３２の一端は、ワンタッチで接続可能なジョイント部３３により水栓３０に接続されており、洗濯機用給水ホース３２の他端は、洗濯機本体（図示せず）と接続されている。洗濯機本体は、通常、排水口を備える洗濯機用防水パン（図示せず）上に載置される。なお、図面では長尺の洗濯機用給水ホース３２の一部のみを示している。
【００２０】
４．水受け部本体
主に図１を用いて説明する。
水受け部本体１０は、矩形状の取付部１１と、水を一時的に受ける水受け部１２と、ホース部２０との接続箇所となる筒部１３とを備える。
【００２１】
（４−１）取付部
主に図１、図２、図５、図６を用いて説明する。
取付部１１は、通常、枠体３１と壁４０との隙間に挟み込んだ状態で取り付けて使用される。取付部１１の厚み（Ｔ）は、枠体３１と壁４０との隙間に挟み込んだ際に落ちない程度の厚みであれば問題はなく、通常、０．３〜０．７ｍｍであり、好ましくは０．４〜０．６ｍｍ、特に好ましくは０．５ｍｍ程度である。また、取付部１１の横幅（Ｗ）は、枠体３１の横幅と同等であることが好ましく、通常９０〜１１０ｍｍ、好ましくは９５〜１０５ｍｍ、特に好ましくは１００ｍｍ程度である。取付部１１の高さ（Ｈ）は、通常、３０〜５０ｍｍ、好ましくは３５〜４５ｍｍ、特に好ましくは４０ｍｍ程度である。
【００２２】
（４−２）水受け部
主に図１、図２、図４を用いて説明する。
水受け部１２は、下方（図面下側）にむかって横幅が小さくなる筒状であり、取付部１１の内壁を伝って下方に流れてきた水を一時的に受けるために上部は開口している。
【００２３】
（４−３）筒部
主に図１、図３、図４を用いて説明する。
筒部１３はホース部２０の先端に挿通されて使用されるため、筒部１３の外径（Ｄ１）は、ホース部２０の内径（ｄ１）と略同じ大きさである。具体的には、筒部１３の外径（Ｄ１）は、通常１０〜１８ｍｍ、好ましくは１３〜１７ｍｍ、特に好ましくは１５ｍｍ程度である。
【００２４】
筒部１３の長さは、ホース部２０の先端に挿通できる程度の長さであればよく、通常、１０〜５０ｍｍ、好ましくは１５〜３５ｍｍであり、特に好ましくは２０ｍｍ程度である。
【００２５】
５．ホース部
主に図１、図２、図４を用いて説明する。
ホース部２０は、水受け部１２で一時的に受けた水を外部に排出する長尺のホースである。
【００２６】
ホース部２０の一端は筒部１３と接続され、ホース部２０の他端は、図示しないが防水パン側に延伸されている。なお、図面では長尺のホース部２０の一部のみを示している。
【００２７】
６．作用
水栓３０と洗濯機用給水ホース３２との接続部分近傍から漏水した水は、取付部１１の内壁を伝って下方側の水受け部１２に案内され、もしくは直接水受け部１２に溜まり、ホース部２０を介して防水パン（図示せず）上に排出される。防水パン（図示せず）上の水は、防水パンの排水口を介して外部に排水される。
【００２８】
（第２の実施形態）
図７は、第２の実施形態に係る水受け部材１の取付状態を説明する斜視図、図８は水受け部材１の取付状態を説明する側面図である。
【００２９】
１．水栓
図５では、水栓３０が枠体３１に埋設されているタイプを示したが、これに限定されず、例えば、図７、図８に示すように、水栓３４が枠体３５から突出しているタイプであってもよい。
【００３０】
第２の実施形態では、水栓３４と洗濯機用給水ホース３２との接続部分近傍から漏水した水は、取付部１１の内壁を伝って下方側の水受け部１２に案内され、もしくは直接水受け部１２に溜まり、ホース部２０を介して防水パン（図示せず）上に排出される。防水パン（図示せず）上の水は、防水パンの排水口を介して外部に排水される。
【００３１】
＜変形例＞
以上、一実施形態に係る水受け部材を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００３２】
１．水受け部材
実施形態では、水受け部本体１０と水受け部１２と筒部１３とは、同一の樹脂材料により一体的に成形されているが、別部品であってもよい。
実施形態の水受け部材１は、主に水栓と洗濯機用給水ホースとの接続部分近傍から漏水した場合の水を受けるために使用されるが、上記接続部分以外の他の箇所から漏水した場合の水を受けるために使用することもできる。
【００３３】
２．取付部
取付部１１は、横方向に長い矩形状をしているが、これに限定されず、縦方向に長い矩形状をしていてもよく、略正方形状であってもよい。
【００３４】
３．ホース部
実施形態では、筒部１３の外側にホース部２０を挿通させているが、筒部１３の内側にホース部２０を挿通させてもよい。
【００３５】
また、実施形態では、水受け部本体１０とホース部２０とは別部品であるが、一体成形品であってもよい。なお。水受け部本体１０とホース部２０とが一体成形品の場合、筒部１３は省略してもよい。
【００３６】
実施形態でのホース部２０は長尺であり、他端を防水パン側まで延伸させているが、短尺であっても差し支えない。この場合、ホース部２０から排出される水はバケツやＰＥＴボトル等で受けることもできる。なお、ホース部２０自体を省略して水受け部本体１０からの水を、ＰＥＴボトル等で直接受けることもできる
【符号の説明】
【００３７】
１  水受け部材
１０  水受け部本体
２０  ホース部
３０  水栓
３１  枠体
３２  洗濯機用給水ホース
４０  壁
【要約】
【課題】水栓と洗濯機用給水ホースとの接続部分からの漏水による被害を予防することができる水受け部材を提供する。
【解決手段】水栓３０と洗濯機用給水ホース３２との接続部分から漏水した場合の水を受ける水受け部材１である。
【選択図】図５【図１】
0006038372.tif 000002
【図２】
0006038372.tif 000003
【図３】
0006038372.tif 000004
【図４】
0006038372.tif 000005
【図５】
0006038372.tif 000006
【図６】
0006038372.tif 000007
【図７】
0006038372.tif 000008
【図８】
0006038372.tif 000009